(57)【要約】【課題】  複数のデジタルカメラを対象にしたダイレクトプリントを行う場合に、複数台の撮像装置に対してのダイレクトプリント操作を印刷装置側から行うことが可能な印刷装置、撮像装置及びダイレクトプリントシステムを提供する。【解決手段】撮像装置の画像情報を取り込み可能な通信手段と、前記通信手段によって取り込んだ前記画像情報を、所定の順序で並べ替える並べ替え手段と、前記並べ替え手段で並べ替えた画像情報を保持しておく記憶手段と、前記並べ替え手段で並べ替えた前記画像情報に応じて、印刷データを生成する印刷情報生成手段と、前記印刷情報生成手段で生成された前記印刷データを印刷する印刷手段と、前記通信手段と、前記並べ替え手段と、前記印刷情報生成手段と、前記印刷手段とを制御する印刷装置制御手段とを具備する。【選択図】  図１
2005169880.tif 000002
【特許請求の範囲】
【請求項１】
撮像装置の画像情報を取り込み可能な通信手段と、
前記通信手段によって取り込んだ前記画像情報を、所定の順序で並べ替える並べ替え手段と、
前記並べ替え手段で並べ替えた画像情報を保持しておく記憶手段と、
前記並べ替え手段で並べ替えた前記画像情報に応じて、印刷データを生成する印刷情報生成手段と、
前記印刷情報生成手段で生成された前記印刷データを印刷する印刷手段と、
前記通信手段と、前記並べ替え手段と、前記印刷情報生成手段と、前記印刷手段とを制御する印刷装置制御手段と、
を具備することを特徴とする印刷装置。
【請求項２】
請求項１記載の印刷装置において、前記印刷データはサムネイル画像であることを特徴とする印刷装置。
【請求項３】
請求項１記載の印刷装置において、前記印刷データは本画像である事を特徴とする印刷装置。
【請求項４】
請求項１記載の印刷装置において、前記通信手段は複数台の撮像装置と通信可能であることを特徴とする印刷装置。
【請求項５】
請求項１〜４いずれか記載の印刷装置において、前記並べ替え手段で前記画像情報を並べ替えた結果は撮像装置順であり、前記印刷手段で印刷する前記印刷データは撮像装置毎に連続していることを特徴とする印刷装置。
【請求項６】
請求項５記載の印刷装置において、前記印刷データは、撮像装置毎に分割されていることを特徴とする印刷装置。
【請求項７】
請求項１〜４いずれか記載の印刷装置において、前記並べ替え手段で前記画像情報を並べ替えた結果は日付順であり、前記印刷手段で印刷する前記印刷データは日付順に連続していることを特徴とする印刷装置。
【請求項８】
請求項６記載の印刷装置において、前記印刷データは日付毎に分割されていることを特徴とする印刷装置。
【請求項９】
請求項１〜８いずれか記載の印刷装置において、前記画像情報毎に識別コードを生成する識別コード生成手段と、前記画像情報と前記識別コードを関連付けて記憶する記憶手段とを具備し、前記印刷情報生成手段において前記識別コードを含んだ印刷データを生成することを特徴とする印刷装置。
【請求項１０】
請求項９記載の印刷装置において、前記識別コードを指定する入力手段を具備し、前記識別コードを指定して指定画像の印刷を行う事を特徴とする印刷装置。
【請求項１１】
印刷装置と通信を行う通信手段と、
画像情報を記憶しておく記憶手段と、
前記画像情報から本画像データやサムネイルデータ、撮影日時などの画像情報を取得する画像情報取得手段と、
前記画像情報を表示する表示手段と、
前記通信手段と、前記記憶手段と、前記画像情報取得手段と、前記表示手段とを制御する撮像装置制御手段とを具備し、
前記画像情報取得手段で取得した前記画像情報を前記印刷装置からの要求に応じて前記印刷装置に送信することを特徴とする撮像装置。
【請求項１２】
請求項１１記載の撮像装置において、前記印刷装置との通信を拒否する設定をする通信拒否設定手段を具備することを特徴とする撮像装置。
【請求項１３】
請求項１１記載の撮像装置において、前記印刷装置から印刷要求が無い場合は、通信以外の必要の無い機能への配電を減らしたり停止したりする電源管理手段を具備することを特徴とする撮像装置。
【請求項１４】
請求項１１記載の撮像装置において、前記印刷装置から単画像指定で印刷要求があった場合、印刷要求された画像を、前記印刷装置において印刷が終わるまで、前記表示手段に表示することを特徴とする撮像装置。
【請求項１５】
請求項１１記載の撮像装置において、前記印刷装置から単画像指定で印刷要求があった場合、印刷要求された画像を、新たな印刷要求が印刷装置から発行されるまで、前記表示手段に表示することを特徴とする撮像装置。
【請求項１６】
請求項１１記載の撮像装置において、前記印刷装置が複数の撮像装置と通信する場合に、前記印刷装置からの要求が、通信対象となる全ての撮像装置に対して送信される場合に、他の撮像装置への要求内容から自分の動作を判断することを特徴とする撮像装置。
【請求項１７】
請求項１〜１０記載の印刷装置と、請求項１１〜１６記載の撮像装置とが無線通信することを特徴とするダイレクトプリントシステム。
【請求項１８】
請求項１〜１０記載の印刷装置と、請求項１１〜１６記載の撮像装置とがIEEE1394接続による通信を行うことを特徴とするダイレクトプリントシステム。
【請求項１９】
請求項１〜１０記載の印刷装置と、請求項１１〜１６記載の撮像装置がＵＳＢ接続による通信を行うことを特徴とするダイレクトプリントシステム。
【請求項２０】
請求項１〜１０記載の印刷装置が請求項１１〜１６記載の撮像装置複数台と通信を行う場合に、通信データを全撮像装置に対して同時送信することを特徴とするダイレクトプリントシステム。
【請求項２１】
請求項１〜１０記載の印刷装置が請求項１１〜１６記載の撮像装置の前記画像情報をサムネイル印刷する場合、前記印刷情報生成手段で印刷データを生成する際に、前記撮像装置の前記表示手段に現在表示されている画像に枠がついた印刷データを生成することを特徴とするダイレクトプリントシステム。
【発明の詳細な説明】
【技術分野】
【０００１】
本発明は、例えばパーソナルコンピュータ等のプリンタサーバを介さずに、画像出力装置に直接接続可能な画像入力装置とその制御方法及び画像入出力システムに関する。
【背景技術】
【０００２】
従来、デジタルカメラやデジタルビデオなどの撮像装置で撮影した画像をプリントするには、ＲＳ−２３２Ｃ等のシリアルインタフェ−スやメモリカードを経由して画像データをパーソナルコンピュータに転送し、パーソナルコンピュータにより、画像データに印刷装置の印刷形式に合った加工を施し、セントロニクス等のパラレルインタフェースやＵＳＢ(Universal Serial Bus)等のシリアルインタフェースを介して印刷装置に印刷データを送ってプリントする、という手順が必要である。
【０００３】
撮像装置のユーザが、既にパーソナルコンピュータを所有している場合は、必要なアプリケーションソフトを使って画像処理を行い、パーソナルコンピュータに接続された印刷装置で印刷するという一般的なシステム構成が用いられる。
【０００４】
しかしながら、上述したようなパーソナルコンピュータを利用した撮影画像の出力方法は、既にユーザがパーソナルコンピュータを持っていることが前提である。  
【０００５】
このため、パーソナルコンピュータを持っていないユーザ（パーソナルコンピュータは持っていないが撮像装置を初めて購入したユーザ等）は、パーソナルコンピュータを用意（新規購入等）しなければ、撮像装置で撮影して得た撮影画像を印刷装置で印刷することはできない。
【０００６】
そこで、撮像装置で撮影して得た撮影画像を、パソコンを利用せずに直接印刷装置で印刷できる、昇華型のビデオプリンタという形態のシステム（以下、「ダイレクトプリントシステム」と言う）が提案されている。このダイレクトプリントを行う場合は、パソコンを介さずに独自規格のシリアルインタフェースを用いて、直接撮像装置と印刷装置を接続する、或いは標準規格である赤外線を用いたＩｒＴｒａｎ−Ｐや、コンパクトフラッシュ（登録商標）、スマートメディア等のメモリカードのインターフェイスを用いて、撮像装置から印刷装置への撮影画像の転送を行うようになされている。
【特許文献１】特開２０００−０６２２９８号公報
【発明の開示】
【発明が解決しようとする課題】
【０００７】
ところで、上述したようなダイレクトプリントシステムでは、印刷装置と撮像装置がＵＳＢ等のシリアルインタフェースで１対１に接続されており、ユーザが撮像装置で撮影して得た種々の撮影画像の中から印刷したい撮影画像を選択する場合は、ユーザは撮像装置からの操作で印刷したい撮影画像を選択する。
【０００８】
しかし、無線通信規格であるＢｌｕｅｔｏｏｔｈやシリアスバス規格であるＩＥＥＥ１３９４においては、通信相手は単数に限らず、ダイレクトプリントシステムの通信にこれらの通信規格を採用した場合には、印刷装置一台に対して複数の撮像装置から撮影画像を印刷することになる。
【０００９】
このとき、撮像装置側からの操作で印刷する撮影画像を指定する方法では、印刷したい撮影画像が記録されているデジタルカメラ全てを操作することになり、印刷画像指定の操作が非常に煩雑になる問題を有している。
【００１０】
また、デジタルカメラ側から操作することから、操作中のデジタルカメラに搭載されている記録メディアに記録されている撮影画像しか閲覧する事が出来ず、印刷対象の全デジタルカメラに記録されている画像を一度に確認できない問題がある。    
【００１１】
さらに、印刷対象の複数のデジタルカメラに記録されている画像間の相関関係（例えば時間の前後関係）がわからないといった問題が発生する。
【００１２】
本発明は、上記問題に鑑みて成されたものであり、複数のデジタルカメラを対象にしたダイレクトプリントを行う場合に、複数台の撮像装置に対してのダイレクトプリント操作を印刷装置側から行うことが可能な印刷装置、撮像装置及びダイレクトプリントシステムを提供することを目的とする。
【課題を解決するための手段】
【００１３】
上記課題を解決するため、本発明の印刷装置は、１台以上の撮像装置から取得した画像情報を印刷する印刷装置であって、前記撮像装置から取得した画像情報に応じて画像を連続して印刷する事を特徴とする。
【００１４】
この手段によると、印刷の対象となる全ての撮像装置の画像情報を取得し、所望の画像を印刷装置側から印刷指定出来るので、撮像装置の操作は前記印刷装置から実施できる。
【００１５】
さらに、印刷対象となる全ての撮像装置から画像情報（例えばサムネイル）を取得して連続して印刷するので、印刷対象となる画像情報全てを一度に確認する事が出来る
また、画像情報として撮影日時を取得し、時間順に並べることで、異なる撮像装置間の撮影画像を時間順に並べて連続印刷する事も出来る。
【００１６】
また、印刷装置から複数の撮像装置を操作する場合に、処理要求対象以外の撮像装置の通信以外の機能への配電を停止もしくは減少させる事で省電にも貢献できる。
【発明の効果】
【００１７】
本発明によれば、印刷装置は通信相手の撮像装置に保持されている一台以上の撮影画像のサムネイルを識別コード付で印刷でき、その識別コードを印刷装置側から入力する事で、どの撮像装置で撮影されたかにかかわらず本画像印刷が可能となる。つまり、１台以上の撮像装置に対してのダイレクトプリント操作を印刷装置側から行うことができる。
【００１８】
さらに、一台以上の撮像装置の画像情報リストを印刷装置内で作成し、そのリストに応じてサムネイル印刷を行うので、１台以上の撮像装置のサムネイルを一覧印刷できる。
【００１９】
また、画像情報リストを作成する際に、撮影日時順に画像情報を並べ替えるので、１台以上の撮像装置に保持されている撮影画像の時間的相関関係が一目でわかる。
【００２０】
また、印刷装置から複数の撮像装置を操作する場合に、処理要求対象以外の撮像装置の通信以外の機能への配電を停止もしくは減少させる事で省電に貢献している。
【発明の最良の実施形態】
【００２１】
以下に本発明の実施例について説明する。
【実施例１】
【００２２】
以下に、本発明の第１の実施例を図１〜図１４に基づき説明する。
【００２３】
本発明は、例えば、１台以上の撮像装置に保持されている撮影画像をパーソナルコンピュータ等を利用することなく、印刷装置にから印刷できるようになされたダイレクトプリントシステムである。
【００２４】
図１は本実施例に好適な印刷装置の概略的ブロック図の一例である。
【００２５】
図１において、入力手段１０１は、図３に示すような形状をしており、数値入力を行えるようになっている。また、この入力手段１０１のｓｔａｒｔ（３１１）を押すことでダイレクトプリントの開始を指示することができ、ｓｔｏｐ（３１２）を押すことで、ダイレクトプリントの中止を行う事が出来る。
【００２６】
通信手段１０２は、１台以上の撮像装置と、画像情報の受信や撮像装置に対する操作コマンドの送信を行う。並べ替え手段１０４は、通信手段１０２を介して撮像装置から画像情報を取得し、取得した画像情報に含まれる特定の情報に応じて並べ替えを行い、記憶手段１０５に記憶する。
【００２７】
識別コード生成手段１０７は、画像情報を一意に識別できる識別コードを画像情報ごとに発行し、画像情報と関連付ける。さらに、識別コードは、関連付けられた画像情報と共に記憶手段１０５に記憶される。
【００２８】
印刷データ生成手段１０６においては、並べ替え手段１０４で並べ替えた結果を記憶している記憶手段１０５の内容に応じて、通信手段１０２を介して撮像装置から画像情報を取得し、印刷データを生成する。また、入力手段１０１から、特定の撮影画像の指定（識別コードの入力）があれば、通信手段１０２を介して、指定された画像情報を取得し、印刷データを生成する。
【００２９】
制御装置１０５は、入力手段１０１に応じてダイレクトプリントを開始したり、画像情報の取得を開始するなど、本印刷装置の統括的な制御を行う。
【００３０】
図２は本実施例に好適な撮像装置の概略的ブロック図の一例である。
【００３１】
図２において、表示手段２０１は、画像情報を表示するもので、具体的には画像情報の中の、本画像やサムネイルなどを表示するものである。また、ダイレクトプリント中は、印刷している本画像を印刷終了まで全画面表示する事もできる。
【００３２】
電源管理手段２０２は、印刷の行われていない撮像装置の主電源もしくは表示装置の電源を切る事で省電に貢献するものである。通信手段２０３は、印刷装置からの操作コマンドの受信や、印刷装置への本画像やサムネイル、日付情報、後述するファイル特定番号といった画像情報の送信を行うものである。画像情報取得手段２０６は、通信手段２０３から送信する画像情報を記憶手段２０５から取得するものである。
【００３３】
制御手段２０４は、通信手段２０３で受信した制御信号に応じて、表示手段２０１の表示を切り、電源管理手段２０２で、表示装置の電源を切ったり、画像情報取得手段２０６で取得する画像情報を判断するものである。また、入力手段２０７は、印刷拒否モードの設定などを行う際に、ユーザが機器の操作を行うものであり、ハードキーや操作やタッチパネルを利用したＧＵＩなどである。
【００３４】
次に、本発明において、図４に示すように印刷装置の通信圏内に稼動中の撮像装置が３台存在する場合に、撮像装置３台分の画像を連続印刷する方法を説明する。  
【００３５】
本実施の形態では連続印刷は、撮影画像のサムネイル印刷とし、撮像装置Ａ（４０２）、撮像装置Ｂ（４０３）、撮像装置Ｃ（４０４）と印刷装置４０１とは、ブルートゥース規格に基づく無線通信を行うものとする。このとき撮像装置Ａ（４０２）、撮像装置Ｂ（４０３）、撮像装置Ｃ（４０４）に保持されている撮影画像をそれぞれ図５、図６、図７に示す。
【００３６】
撮像装置Ａ（４０２）は、ROOTディレクトリ５０１が作成され、ROOTディレクトリ５０１直下にDCIM５０２が作成される。更に、DCIMディレクトリ５０２の直下に100STILLディレクトリ５０３が作成され、その中に撮影画像「STIL0001.jpg」（５０４）、「STILL0002 .jpg」（５０５）、「STILL0003.jpg」（５０７）、「STILL0008 .jpg」（５０７）、「STILL0010.jpg」（５０８）が格納されている。
【００３７】
このディレクトリ構造や、ディレクトリ名、ファイル名の付け方はＤＣＦ（Design rule for Camera File system）に準拠しており、ディレクトリ名の上３桁と、撮影画像の下４桁の数字をつなげたファイル特定番号で、撮像装置内の画像を特定できるようになっている。例えば、ファイル特定番号1000001はディレクトリ100STILL（５０３）内のファイル「STL0001 .jpg」（５０４）といった具合である。撮像装置Ｂ、撮像装置ＣもＤＣＦ準拠である。また、各撮影画像には撮影日時が関連付けられており、例えば、ファイル特定番号1000001の撮影画像「STL0001.jpg」（５０４）は２００１年１月１日０時１分１５秒に撮影されたものである。
【００３８】
図８は、印刷装置の入力手段１０１から連続プリント操作を行った場合における印刷装置の動作の概要である。
【００３９】
具体的には、図３の入力手段のｓｔａｒｔ（３１１）を押下することで、連続プリントを開始する（Ｓ６０１）。ただし、連続プリント開始用に別途入力手段を設けても、何も問題は無い。
【００４０】
連続プリントを開始すると、通信圏内に存在する撮像装置Ａ（４０２）、撮像装置Ｂ（４０３）、撮像装置Ｃ（４０４）に対して、連続プリント開始コマンドを発行する（Ｓ６０２）。
【００４１】
連続プリントコマンドに対して、了解コマンドを返してきた撮像装置Ａ（４０２）、撮像装置Ｂ（４０３）、撮像装置ｃ（４０４）を連続プリントの対象として確認し、印刷装置の内部で、それぞれの撮像装置にＩＤを発行する（Ｓ６０３）。本実施例では、撮像装置Ａ（４０２）、撮像装置Ｂ（４０３）、撮像装置Ｃ（４０４）のＩＤを順に０、１，２とする。
【００４２】
次に、撮像装置Ａ（４０２）、撮像装置Ｂ（４０３）、撮像装置Ｃ（４０４）に保持されている全画像情報を取得する。このとき取得する画像情報は、ファイル特定番号、撮影日時から構成され、全画像情報には、Ｓ６０３で各撮影装置に割り振ったＩＤを関連付けておく。さらに、全画像情報を日付順に並べ替え、並べ替えられた画像情報に順次識別コードを発行し、画像情報リストを作成する（Ｓ６０４）。
【００４３】
画像情報リストを作成する手順は、１）全撮像装置に時間順に画像情報リストを作成することを通知する、２）各撮像装置毎に全撮影画像分の画像情報を取得する、３）全撮像装置分の画像情報を時間順に並び替え、時間順に識別コードを発行する、の３ステップである。本発明では、画像情報リストの先頭から、０，１，２・・・と順次番号を発行し、これを識別コードとしている。
【００４４】
図９に本実施の形態における画像情報リスト７００を示す。識別コード７０１は、各撮像装置から取得した画像情報に割り振った識別コードである。また、撮像装置ＩＤ７０２は、印刷装置が各撮像装置を特定するためのＩＤであり、０は撮像装置Ａ、１は撮像装置Ｂ、２は撮像装置Ｃである。ファイル特定番号７０３は、各撮像装置Ａ、Ｂ、Ｃ内の撮影画像を一意に特定する番号であり、画像情報の一部である。撮影日時７０４は、撮像装置ＩＤ７０２とファイル特定番号７０３で一意に特定される撮影画像の撮影された日時である。
【００４５】
画像情報リスト７００を生成したら、画像情報リスト７００の内容を元に、撮像装置Ａ、Ｂ、Ｃから画像情報（サムネイルデータ）を取得し、印刷データを生成する（Ｓ６０５）。本実施例では、画像情報リスト７００から生成する印刷データはサムネイル画像とする。
【００４６】
図１０は画像情報リスト７００を元に撮像装置Ａ、Ｂ、Ｃから画像情報（サムネイルデータ）を取得し、時間順サムネイルの印刷データを作成する手順である。
【００４７】
まず、画像情報リスト７００が完成したら、識別コード７０１が０（７０５）の画像情報から、撮像装置ＩＤ７０２とファイル特定番号７０３を取得する。具体的には、画像情報リスト７００の先頭の画像情報は、撮像装置ＩＤが０（７０６）でファイル特定番号が1000001（７０７）である。この情報を元に、撮像装置ＩＤが０である撮像装置Ａに対してファイル特定番号100001指定で画像情報（サムネイルデータ）要求コマンドを発行する。
【００４８】
画像情報（サムネイル）要求コマンドを受けた撮像装置Ａから、ファイル特定番号で特定できる撮影画像のサムネイルデータを印刷装置が受信する（Ｓ８０３）。
【００４９】
続いて、受信したサムネイルデータを元に印刷データを作成するが、印刷データを作成するときに、サムネイル画像といっしょに識別コードも印刷データに入れておく。画像情報リスト７００の最後尾まで、画像情報（サムネイルデータ）の取得（Ｓ８０３）と印刷データの作成（Ｓ８０４）を繰り返す（Ｓ８０６）。
【００５０】
次に、印刷データの印刷可能な分だけ生成されたら印刷する（Ｓ６０６）。
【００５１】
印刷が終了すると、ユーザの手元には、各撮像装置内に保存されている全撮影画像が時間順に並んでいるサムネイルが印刷されている。図１１に印刷結果の一例を示す。印刷された用紙が９００である。本実施例において、サムネイル９０１は３×４の配置で印刷されており、印刷用紙９００一枚に１２個のサムネイルを印刷できる。もちろん、サムネイルのサイズや配置方法は、本発明においては特に限られるものではない。サムネイルの真上に印刷されている数字９０２は、各画像情報の識別コードであり、この識別コードで、どの撮像装置に記録されている、どの撮影画像のサムネイルかが判別できる。サムネイルの真下に印刷されている数字９０３は、始めの「０１／１／１」は撮影された日付を表し、後の「００:０１」は撮影された時間を表している。これにより、サムネイ９０１は「２００１年１月１日の午前０時１分」に撮影されたものだと判断できる。画像情報自体には、撮影日時の秒まで記憶されているので、秒まで印刷しても何も問題は無い。また、本実施例の印刷結果の日付は「ｙｙ／ｍｍ／ｄｄ」の形式を取っているが、この表現形式を変更しても何も問題ないことは言うまでもない。
【００５２】
続いて、画像を特定して印刷する方法を説明する。
【００５３】
図１２は本実施例において、印刷装置側からの操作で本画像を印刷する処理のフローチャートの一例である。
【００５４】
本画像プリント開始点（Ｓ１００１）から始まり、サムネイルの印刷が終了したら、本画像プリントの開始点に遷移する。
【００５５】
印刷装置から本画像をダイレクトプリントする撮影画像を指定するには、図３の印刷装置の入力手段で、画像情報の識別コードを入力する。具体的には、サムネイル印刷結果９００の左上のサムネイル９０１を印刷ダイレクトプリントするには、入力手段で０（３１０）を押下した後に、本画像プリント開始を指示するためにｓｔａｒｔ（３１１）を押下する（Ｓ１００２）。
【００５６】
続いて、識別コードを元に画像情報リスト７００を検索し、撮像装置ＩＤとファイル特定番号を取得する（Ｓ１００３）。本実施例においては、識別コードに「０」が指定されたので、撮像装置ＩＤ=０、ファイル特定番号=1000001である。
【００５７】
Ｓ１００３で取得した撮像装置ＩＤで通信相手が撮像装置Ａに特定できるので、撮像装置Ａにファイル特定番号1000001の画像情報（本画像データ）要求コマンドを発行し、撮像装置Ａから画像情報（本画像データ）を受信する（Ｓ１００４）。
【００５８】
次に本画像データを受信すると同時に印刷データを生成し、生成された印刷データから順次印刷する（Ｓ１００５）。
【００５９】
本画像データの印刷が終了したら、撮像装置ＩＤ=０つまり、撮像装置Ａに対して、印刷終了通知を行う（Ｓ１００６）。
【００６０】
ここで、ダイレクトプリントの終了を意味するｓｔｏｐ（３１２）が押下されたかを判断し（Ｓ１００７）、押されたら印刷装置に保持している画像情報リスト７００を破棄し、通信中の撮像装置Ａ、Ｂ、Ｃにダイレクトプリント終了を通知し、接続を切断して（Ｓ１００８）、ダイレクトプリントを終了する（Ｓ１００９）。
【００６１】
また押されずに、識別コードの入力があったら識別コード入力（Ｓ１００２）へ遷移し、一連の処理を繰り返す。
【００６２】
また、本画像印刷の途中にｓｔｏｐ（３１２）が押された場合には、本画像印刷を中止し、画像印刷中止を通知すべく（Ｓ１００６）へ遷移するようにしても良い。
【００６３】
次に撮像装置側の処理を撮像装置Ａを例にあげて説明する。
【００６４】
図１３はダイレクトプリント時の撮像装置側の処理の概要である。印刷装置側でダイレクトプリント開始操作（ｓｔａｒｔ（３１１）の押下）を行い、撮像装置がダイレクトプリント開始のコマンドを受信すると、まず、撮像装置内に保持されている撮影画像を調査し、一つ以上の撮影画像が存在下場合はダイレクトプリント開始（Ｓ１１０１）となる。もし、撮影画像が存在しない場合は、ダイレクトプリント開始（Ｓ１１０１）にはならない。また、撮像装置が印刷拒否モードに設定されていた場合もダイレクトプリント開始（Ｓ１１０１）にはならない。撮像装置を印刷拒否モードに設定するには、撮像装置の入力手段２０７から、印刷拒否モードに設定する。その際、入力方法としては、撮像装置本体に印刷拒否ボタンを設けても良いし、ＧＵＩによる設定メニューから設定を行っても良い。
【００６５】
次に、印刷装置側にダイレクトプリント了解コマンドを発行する（Ｓ１１０２）。続いて、撮像装置内に保持している撮影画像の画像情報テーブルを作成し、印刷装置に送信する（Ｓ１１０３）。ここで、画像情報テーブルの一例を図１４に示す。図１４は撮像装置Ａに保持されている撮影画像（５０４〜５０８）の画像情報リストであり、ファイル特定番号１２０１とそのファルのパス１２０２、さらに撮影日１２０３と撮影時間１２０４から構成されている。
【００６６】
この後、撮像装置は、印刷装置からのコマンド受信のため待機し（Ｓ１１０４）、コマンドを受信したら、受信したコマンドの解析を行う（Ｓ１１０６、Ｓ１１０７、Ｓ１１０９、Ｓ１１１１）。
【００６７】
Ｓ１１０４で受信したコマンドが、サムネイルデータ要求コマンドであった場合は（Ｓ１１０５）、画像情報テーブルを検索し、ファイル特定番号で特定される撮影画像のパスを取得し、指定画像のサムネイルデータを抽出し印刷装置に送信する（Ｓ１１０６）。送信が完了したら、次のコマンド待機（Ｓ１１０４）へ遷移する。
【００６８】
Ｓ１１０４で受信したコマンドが、本画像要求コマンドであった場合は（Ｓ１１０７）、画像情報テーブルを検索し、ファイル特定番号で特定される撮影画像のパスを取得し本画像データを取得する。
【００６９】
さらに、撮像装置の電源管理手段２０２を制御手段２０４でコントロールし、表示手段２０１に本画像を表示し、撮像装置にどの画像を印刷しているかを明示した後、ファイル特定番号で特定される撮影画像の本画像データを印刷装置に送信する（Ｓ１１０８）。送信が完了したら、次のコマンド待機（Ｓ１１０４）へ遷移する。
【００７０】
Ｓ１１０４で受信したコマンドが、ダイレクトプリント終了コマンドであった（印刷装置でｓｔｏｐ（３１２）が押下された）場合は（Ｓ１１１１）、印刷装置との通信を終了し（Ｓ１１１２）、ダイレクトプリントを終了する（Ｓ１１１３）。  
【００７１】
Ｓ１１１１で、ダイレクトプリント終了コマンドで無かった場合は、再び次のコマンド待機へ遷移する。
【００７２】
以上の処理を、印刷装置、撮像装置ともに行うことで、印刷装置は通信相手の撮像装置に保持されている１台以上の撮影画像のサムネイルを識別コード付加で印刷でき、その識別コードを印刷装置に入力することで、どの撮像装置で撮影されたかにかかわらず本画像印刷が可能となる。
【００７３】
また、本実施例において、画像情報の識別コードは「０」から始まる数字で説明したが、各画像情報を一意に特定できるものであれば、入力手段１０１さえ対応していれば、アルファベットやカナ文字の組み合わせでも問題ないことは言うまでもない。
【００７４】
また、本実施例においては、画像情報リストを作成する場合の画像情報として、撮影日時、ファイル特定番号を用いたが、画像情報はこれのみに留まらず、ＧＰＳを用いた撮影座標などを用いて、撮影場所ごとの各画像の相関関係を用いて並べ替えを行う事が出来る事はいうまでもない。
【実施例２】
【００７５】
続いて、本発明の第２の実施例を図１５に基づき説明する。
【００７６】
この実施例２は、印刷装置が撮像装置に対して発行するコマンドを通信対象となる全ての撮像装置に同時送信する場合についての説明を行う。
【００７７】
本実施の形態は、基本的に上述の実施例１と同じであるが、実施例１では、通信相手を確認した後は、印刷装置側から発行するコマンドを特定の通信相手にのみ発行していたが、本実施の形態においては、全ての通信相手全部に同時送信する。
【００７８】
そこで、このときの撮像装置側の処理を説明する。印刷装置側の処理は、撮像装置ＩＤで特定される撮像装置にコマンドを発行するところを、通信相手として認識している全ての撮像装置に対して同時送信する以外は全て同じなので、詳細な説明は割愛する。
【００７９】
図１５は印刷装置がコマンドを同時送信する場合の、撮像装置の処理のフローチャートである。
【００８０】
上述の実施例１同様、印刷装置側からのダイレクトプリント開始コマンドを受信するとダイレクトプリント開始（Ｓ１３０１）へ遷移する。また、実施例１同様、記録してある撮影画像が存在しない場合や印刷拒否モードに設定されている場合には、ダイレクトプリント開始（Ｓ１１０１）にはならない。
【００８１】
次に、印刷装置側にダイレクトプリント了解コマンドを発行する（Ｓ１３０２）。続いて、撮像装置内に保持している撮影画像の画像情報テーブルを作成し、印刷装置に送信する（Ｓ１３０３）。画像情報テーブルは、図１４に示したものと同じである。
【００８２】
この後、撮像装置は、印刷装置からのコマンド受信のため待機し（Ｓ１３０４）、コマンドを受信したら、受信したコマンドの解析を行う（Ｓ１３０５、Ｓ１３０７、Ｓ１３０９、Ｓ１３１１）。
【００８３】
受信したコマンドは、印刷装置から撮像装置全てに同時送信されているので、自分に対して発行されたコマンドかどうかを確認する（Ｓ１３０５）。もし、自分に対して発行されたコマンドで無いならば、（Ｓ１３０６）へ遷移し、自分に対するコマンドであれば、Ｓ１３０７へ遷移し、更なるコマンドの解析を行う。
【００８４】
Ｓ１３０６では、通信手段以外へ通電が行われていた場合にその通電を切るか、もしくは減らし、少電に貢献する。こうすることで、本画像印刷が終わった場合に、印刷装置側でわざわざ本画像印刷終了コマンドを発行しなくても、自分以外の撮像装置にコマンドがは発行されたら、本画像印刷が終わったことが判断できる。
【００８５】
Ｓ１３０４で受信したコマンドが、サムネイルデータ要求コマンドであった場合は（Ｓ１３０７）、画像情報テーブルを検索し、ファイル特定番号で特定される撮影画像のパスを取得し、指定画像のサムネイルデータを抽出し印刷装置に送信する（Ｓ１３０８）。送信が完了したら、次のコマンド待機（Ｓ１１０４）へ遷移する。
【００８６】
Ｓ１３０４で受信したコマンドが、本画像要求コマンドであった場合は（Ｓ１３０９）、画像情報テーブルを検索し、ファイル特定番号で特定される撮影画像のパスを取得し本画像データを取得する。さらに撮像装置の電源管理手段２０２を制御手段２０４でコントロールし、表示手段２０１に本画像を表示し、撮像装置にどの画像を印刷しているかを明示した後、ファイル特定番号で特定される撮影画像の本画像データを印刷装置に送信する（Ｓ１３１０）。送信が完了したら、次のコマンド待機（Ｓ１１０４）へ遷移する。
【００８７】
Ｓ１３０４で受信したコマンドが、ダイレクトプリント終了コマンドであった（印刷装置でｓｔｏｐ（３１２）が押下された）場合は（Ｓ１３１１）、印刷装置との通信を終了し（Ｓ１３１２）、ダイレクトプリントを終了する（Ｓ１３１３）
Ｓ１３１１で、ダイレクトプリント終了コマンドで無かった場合は、再び次のコマンド待機へ遷移する。
【００８８】
以上が撮像装置側のダイレクトプリント処理の内容である。
【００８９】
したがって、上記の処理を行うことで、全撮像装置は処理を要求されているのが自分かどうかを知ることが出来るので、処理の要求が無い場合には、必要ない電源の供給を押さえる事が出来る。また、本実施の形態には明記していないが、他の撮像装置に発行されているコマンドを解析する事で、次の処理を先読みして処理を予め行っておく事なども可能になる。
【００９０】
なお、本発明において、通信手段は、ブルートゥース規格に基づく無線通信だけではなく、IEEE1394やIEEE802.なども適応でき、その他の通信規格でも可能である。
【図面の簡単な説明】
【００９１】
【図１】本発明の実施例１に係る印刷装置の概略ブロック図である。
【図２】本発明の実施例１に係る撮像装置の概略ブロック図である。
【図３】本発明の実施例１に係る印刷装置の入力手段を示す図である。
【図４】本発明の実施例１に係るダイレクトプリントシステムの構成図である。
【図５】本発明の実施例１に係る撮像装置Ａに記録されている内容を示す図である。
【図６】本発明の実施例１に係る撮像装置Ｂに記録されている内容を示す図である。
【図７】本発明の実施例１に係る撮像装置Ｃに記録されている内容を示す図である。
【図８】本発明の実施例１に係る連続プリント処理のフローチャートである。
【図９】本発明の実施例１に係る画像情報リストを示す図である。
【図１０】本発明の実施例１に係る連続プリント時の印刷データ作成のフローチャートである。
【図１１】本発明の実施例１に係る連続印刷物（サムネイル）を示す図である。
【図１２】本発明の実施例１に係る本画像プリントのフローチャートである。
【図１３】本発明の実施例１に係る撮像装置のダイレクトプリントのフローチャートである。
【図１４】本発明の実施例１に係る画像情報テーブル（リスト）を示す図である。
【図１５】本発明の実施例２において、印刷装置がコマンドを同時送信する場合の撮像装置の処理のフローチャートである。
【符号の説明】
【００９２】
１０１      入力手段（印刷装置）
１０２      通信手段（印刷装置）
１０３      制御手段（印刷装置）
１０４      並べ替え手段
１０５      記憶手段（印刷装置）
１０６      印刷データ生成手段
１０７      識別コード生成手段
１０８      印刷手段
２０１      表示手段（撮像装置）
２０２      電源管理手段（撮像装置）
２０３      通信手段（撮像装置）
２０４      制御手段（撮像装置）
２０５      記憶手段（撮像装置）
２０６      画像情報取得手段
２０７      入力手段（撮像装置）
【図１】
2005169880.tif 000003
【図２】
2005169880.tif 000004
【図３】
2005169880.tif 000005
【図４】
2005169880.tif 000006
【図５】
2005169880.tif 000007
【図６】
2005169880.tif 000008
【図７】
2005169880.tif 000009
【図８】
2005169880.tif 000010
【図９】
2005169880.tif 000011
【図１０】
2005169880.tif 000012
【図１１】
2005169880.tif 000013
【図１２】
2005169880.tif 000014
【図１３】
2005169880.tif 000015
【図１４】
2005169880.tif 000016
【図１５】
2005169880.tif 000017